(57)【要約】【課題】  カラー印刷の制限を効果的に行う。【解決手段】  モノクロ印刷モードで印刷を実行することを表すカラー制限属性を有するウォーターマークが付加された印刷画像については（Ｓ３９０：ＹＥＳ、又は、Ｓ４１０：ＹＥＳ）、モノクロ印刷モードで印刷を行う（Ｓ３６０）。これにより、カラー印刷の必要性が低い印刷画像に対して、カラー制限属性を有するウォーターマークを付加すれば、その印刷画像はモノクロ印刷モードで印刷が実行されるので、カラー印刷の制限を効果的に行うことができる。【選択図】図６
2008165481.tif 000002
【特許請求の範囲】
【請求項１】
カラー印刷モードと単色印刷モードとを切り替えて実行可能で、かつ、印刷画像を被記録媒体へ印刷する印刷部、及び前記印刷部を制御する印刷制御部を有する印刷システムであって、
前記印刷制御部に設けられ、印刷画像と共に被記録媒体へ印刷されるウォーターマークが、単色印刷を実行することを表す属性のものであるか否かを判断するウォーターマーク判断手段と、
前記印刷制御部に設けられ、前記ウォーターマーク判断手段により前記ウォーターマークが単色印刷を実行することを表す属性のものであると判断された場合に、前記印刷部に単色印刷モードで印刷画像の印刷を実行させるカラー制限手段と
を備えたことを特徴とする印刷システム。
【請求項２】
カラー印刷モードと単色印刷モードとを切り替えて実行可能で、かつ、印刷画像を被記録媒体へ印刷する印刷装置に接続され、前記印刷装置を制御する印刷制御装置であって、
印刷画像と共に被記録媒体へ印刷されるウォーターマークが、単色印刷を実行することを表す属性のものであるか否かを判断するウォーターマーク判断手段と、
前記ウォーターマーク判断手段により前記ウォーターマークが単色印刷を実行することを表す属性のものであると判断された場合に、前記印刷装置に単色印刷モードで印刷画像の印刷を実行させるカラー制限手段と
を備えたことを特徴とする印刷制御装置。
【請求項３】
前記ウォーターマーク判断手段は、ウォーターマークが、コピーを意味する文字列あるいは画像からなるウォーターマークである場合、又は、ドラフトを意味する文字列あるいは画像からなるウォーターマークである場合に、そのウォーターマークが単色印刷を実行することを表す属性のものであると判定することを特徴とする請求項２に記載の印刷制御装置。
【請求項４】
使用者による入力操作を受け付け、その入力操作によってウォーターマーク及びその属性を取得可能なウォーターマーク取得手段を備えたことを特徴とする請求項２又は請求項３に記載の印刷制御装置。
【請求項５】
使用者による入力操作を受け付け、その入力操作によって文字列からなるウォーターマークを受け付けた場合に、その文字列に基づいて、ウォーターマークの属性を検知する属性検知手段と、
前記属性検知手段により受け付けられたウォーターマーク、及び前記属性検知手段により検知された属性を取得するウォーターマーク取得手段と
を備えたことを特徴とする請求項２又は請求項３に記載の印刷制御装置。
【請求項６】
前記ウォーターマーク取得手段により取得されたウォーターマークとその属性とを対応付けて登録するウォーターマーク登録手段を有していることを特徴とする請求項４又は請求項５に記載の印刷制御装置。
【請求項７】
ウォーターマークの属性を、単色印刷を実行することを表す属性に設定する設定手段を備えたことを特徴とする請求項２ないし請求項６の何れか１項に記載の印刷制御装置。
【請求項８】
前記カラー制限手段の作動を禁止する禁止手段を備えたことを特徴とする請求項２ないし請求項７の何れか１項に記載の印刷制御装置。
【請求項９】
複数の使用者により前記印刷装置が使用される場合において、
印刷を行う使用者が特定の使用者であるか否かを判断する特定使用者判断手段と、
前記特定使用者判断手段により印刷を行う使用者が特定の使用者であると判断された場合に、前記カラー制限手段の作動を禁止するか否かを設定可能な禁止設定手段と
を備えたことを特徴とする請求項２ないし請求項８の何れか１項に記載の印刷制御装置。
【請求項１０】
カラー印刷モードと単色印刷モードとを切り替えて実行可能で、かつ、印刷画像を被記録媒体へ印刷する印刷部を有する印刷システムに用いられ、前記印刷部を制御するための印刷制御用プログラムであって、
コンピュータを、
印刷画像と共に被記録媒体へ印刷されるウォーターマークが、単色印刷を実行することを表す属性のものであるか否かを判断するウォーターマーク判断手段、及び
前記ウォーターマーク判断手段により前記ウォーターマークが単色印刷を実行することを表す属性のものであると判断された場合に、前記印刷部に単色印刷モードで印刷画像の印刷を実行させるカラー制限手段
として機能させることを特徴とする印刷制御用プログラム。
【請求項１１】
前記ウォーターマーク判断手段は、ウォーターマークが、コピーを意味する文字列あるいは画像からなるウォーターマークである場合、又は、ドラフトを意味する文字列あるいは画像からなるウォーターマークである場合に、そのウォーターマークが単色印刷を実行することを表す属性のものであると判定することを特徴とする請求項１０に記載の印刷制御用プログラム。
【請求項１２】
使用者による入力操作を受け付け、その入力操作によってウォーターマーク及びその属性を取得可能なウォーターマーク取得手段として機能させることを特徴とする請求項１０又は請求項１１に記載の印刷制御用プログラム。
【請求項１３】
使用者による入力操作を受け付け、その入力操作によって文字列からなるウォーターマークを受け付けた場合に、その文字列に基づいて、ウォーターマークの属性を検知する属性検知手段、及び
前記属性検知手段により受け付けられたウォーターマークと、前記属性検知手段により検知された属性とを取得するウォーターマーク取得手段
として機能させることを特徴とする請求項１０又は請求項１１に記載の印刷制御用プログラム。
【請求項１４】
カラー印刷モードと単色印刷モードとを切り替えて実行可能で、かつ、印刷画像を被記録媒体へ印刷する印刷部を有する印刷システムに用いられ、前記印刷部を制御するための印刷制御用プログラムを記録したコンピュータ読み取り可能な記録媒体であって、
コンピュータを、
印刷画像と共に被記録媒体へ印刷されるウォーターマークが、単色印刷を実行することを表す属性のものであるか否かを判断するウォーターマーク判断手段、及び
前記ウォーターマーク判断手段により前記ウォーターマークが単色印刷を実行することを表す属性のものであると判断された場合に、前記印刷部に単色印刷モードで印刷画像の印刷を実行させるカラー制限手段
として機能させる印刷制御用プログラムを記録したことを特徴とする記録媒体。
【請求項１５】
前記ウォーターマーク判断手段は、ウォーターマークが、コピーを意味する文字列あるいは画像からなるウォーターマークである場合、又は、ドラフトを意味する文字列あるいは画像からなるウォーターマークである場合に、そのウォーターマークが単色印刷を実行することを表す属性のものであると判定することを特徴とする請求項１４に記載の記録媒
体。
【請求項１６】
使用者による入力操作を受け付け、その入力操作によってウォーターマーク及びその属性を取得可能なウォーターマーク取得手段として機能させる印刷制御用プログラムを記録したことを特徴とする請求項１４又は請求項１５に記載の記録媒体。
【請求項１７】
使用者による入力操作を受け付け、その入力操作によって文字列からなるウォーターマークを受け付けた場合に、その文字列に基づいて、ウォーターマークの属性を検知する属性検知手段、及び
前記属性検知手段により受け付けられたウォーターマークと、前記属性検知手段により検知された属性とを取得するウォーターマーク取得手段
として機能させる印刷制御用プログラムを記録したことを特徴とする請求項１４又は請求項１５に記載の記録媒体。
【発明の詳細な説明】
【技術分野】
【０００１】
本発明は、カラー印刷モードと単色印刷モードとを切り替えて実行可能で、かつ、印刷画像を被記録媒体へ印刷する印刷部、及び印刷部を制御する印刷制御部を有する印刷システム、印刷制御装置、印刷制御用プログラム並びにその記憶媒体に関する。
【背景技術】
【０００２】
印刷システムとして、例えば特許文献１に記載の発明では、印刷部数の値に基づいて、印刷部の印刷モードを、カラー印刷モード及び単色（モノクロ）印刷モードのうち何れかに切り替えている。具体的に説明すると、特許文献１に記載の発明では、一部（原本）をカラーで印刷し、残りの部数（複写物）についてはモノクロで印刷することで、カラー印刷を制限している。
【０００３】
ここで、通常、カラー印刷においては、シアン、マゼンダ、イエロー、及びブラックの４色のトナーあるいはインクを重ねて記録媒体上に塗布することにより画像データに基づく画像を形成している。また、モノクロ印刷においては、ブラックの単色トナーあるいはインクを記録媒体上に塗布することにより画像データに基づく画像を形成している。一般に、モノクロ印刷はトナーやインクを重ねる必要がなく、ブラックのトナーあるいはインクを単層で記録媒体上に塗布すればよいため、カラー印刷に比較して、印刷コストが安くなる。
【特許文献１】特開平０６−６４２４８号公報
【発明の開示】
【発明が解決しようとする課題】
【０００４】
しかし、特許文献１に記載の発明では、一部以外は全てモノクロで印刷されてしまうので、例えば、使用者が全ての部数に対してカラーで印刷したい場合や、一部しか印刷しない場合であって、カラーで印刷するほどでは無いような場合等には、使用者の要望に応えることができず、カラー印刷の制限を効果的に行うことができない。
【０００５】
本発明は、上記点に鑑み、カラー印刷の制限を効果的に行うことを目的とする。
【課題を解決するための手段】
【０００６】
本発明は、上記目的を達成するために、請求項１に記載の発明では、カラー印刷モードと単色印刷モードとを切り替えて実行可能で、かつ、印刷画像を被記録媒体へ印刷する印刷部、及び印刷部を制御する印刷制御部を有する印刷システムであって、印刷制御部に設けられ、印刷画像と共に被記録媒体へ印刷されるウォーターマークが、単色印刷を実行することを表す属性のものであるか否かを判断するウォーターマーク判断手段と、印刷制御部に設けられ、印刷ウォーターマーク判断手段によりウォーターマークが単色印刷を実行することを表す属性のものであると判断された場合に、印刷部に単色印刷モードで印刷画像の印刷を実行させるカラー制限手段とを備えたことを特徴とする。
【０００７】
これにより、請求項１に記載の発明では、単色印刷を実行することを表す属性のウォーターマークが付加される印刷画像については、単色印刷モードで印刷が行われるので、カラー印刷の必要性が低い印刷画像に対して、単色印刷を実行することを表す属性のウォーターマークを付加することにより、カラー印刷の制限を効果的に行うことができる。その結果、印刷に関わる全体的なコストを低下させることができる。
【０００８】
なお、特許請求の範囲に記載された「ウォーターマーク」は、一般に「透かし」と呼ば
れるウォーターマークは勿論のこと、ヘッダーやフッター等の単に印刷画像と共に被記録媒体へ印刷される付加画像等も含んだ印刷用付加マークである。
【０００９】
請求項２に記載の発明では、カラー印刷モードと単色印刷モードとを切り替えて実行可能で、かつ、印刷画像を被記録媒体へ印刷する印刷装置に接続され、印刷装置を制御する印刷制御装置であって、印刷画像と共に被記録媒体へ印刷されるウォーターマークが、単色印刷を実行することを表す属性のものであるか否かを判断するウォーターマーク判断手段と、ウォーターマーク判断手段によりウォーターマークが単色印刷を実行することを表す属性のものであると判断された場合に、印刷装置に単色印刷モードで印刷画像の印刷を実行させるカラー制限手段とを備えたことを特徴とする。
【００１０】
これにより、請求項１に記載の発明と同様に、単色印刷を実行することを表す属性のウォーターマークが付加される印刷画像については、単色印刷モードで印刷が行われるので、カラー印刷の必要性が低い印刷画像に対して、単色印刷を実行することを表す属性のウォーターマークを付加することにより、カラー印刷の制限を効果的に行うことができる。その結果、印刷に関わる全体的なコストを低下させることができる。
【００１１】
請求項３に記載の発明では、ウォーターマーク判断手段は、ウォーターマークが、コピーを意味する文字列あるいは画像からなるウォーターマークである場合、又は、ドラフトを意味する文字列あるいは画像からなるウォーターマークである場合に、そのウォーターマークが単色印刷を実行することを表す属性のものであると判定することを特徴とする。
【００１２】
すなわち、コピー（複写）用の印刷物やドラフト（下書き）用の印刷物は、一般的にカラー印刷を必要としない可能性が高い。このため、請求項３に記載の発明では、コピーを意味する文字列あるいは画像からなるウォーターマーク又はドラフトを意味する文字列あるいは画像からなるウォーターマークが印刷画像に付加されていた場合に単色印刷モードで印刷が実行されるので、カラー印刷の制限を効果的に行うことができる。
【００１３】
請求項４に記載の発明では、使用者による入力操作を受け付け、その入力操作によってウォーターマーク及びその属性を取得可能なウォーターマーク取得手段を備えたことを特徴とする。
【００１４】
これにより、予め記録装置に記憶されているウォーターマークに限らず、使用者により入力されたウォーターマークに対しても、カラー制限を適用することができるので、カラー制限の機能を向上させることができる。
【００１５】
請求項５に記載の発明では、使用者による入力操作を受け付け、その入力操作によって文字列からなるウォーターマークを受け付けた場合に、その文字列に基づいて、ウォーターマークの属性を検知する属性検知手段と、属性検知手段により受け付けられたウォーターマーク、及び属性検知手段により検知された属性を取得するウォーターマーク取得手段とを備えたことを特徴とする。
【００１６】
これにより、請求項４に記載の発明と同様に、予め記録装置に記憶されているウォーターマークに限らず、使用者により入力されたウォーターマークに対しても、カラー制限を適用することができるので、カラー制限の機能を向上させることができる。
【００１７】
また、請求項５に記載の発明によれば、ウォーターマークの文字列に基づいて、ウォーターマークの属性を検知するので、使用者はウォーターマークの属性を入力する手間を省くことができる。
【００１８】
請求項６に記載の発明では、ウォーターマーク取得手段により取得されたウォーターマークとその属性とを対応付けて登録するウォーターマーク登録手段を有していることを特徴とする。
【００１９】
これにより、使用者により入力されたウォーターマークを、その後も使用することが可能となるので、印刷制御装置の使い勝手が向上する。また、使用者により入力されたウォーターマークについても、属性と対応付けられて登録されるので、ウォーターマーク判断手段は、ウォーターマークによる判断処理を容易に行うことができる。
【００２０】
請求項７に記載の発明では、ウォーターマークの属性を、単色印刷を実行することを表す属性に設定する設定手段を備えたことを特徴とする。
これにより、単色印刷を実行することを表す属性を有するウォーターマークを、使用者が適宜設定変更することができるので、使用者の希望に沿ったカラー制限を行うことができる。
【００２１】
請求項８に記載の発明では、カラー制限手段の作動を禁止する禁止手段を備えているので、より使用者の希望に沿ったカラー制限が可能となる。
請求項９に記載の発明では、複数の使用者により印刷装置が使用される場合において、印刷を行う使用者が特定の使用者であるか否かを判断する特定使用者判断手段と、特定使用者判断手段により印刷を行う使用者が特定の使用者であると判断された場合に、カラー制限手段の作動を禁止するか否かを設定可能な禁止設定手段とを備えたことを特徴とする。
【００２２】
これにより、特定の使用者は、他の使用者とは別にカラー制限手段の作動を禁止するか否かを設定することができるので、特定の使用者にとって使い勝手のよいものとなる。
請求項１０に記載の発明では、カラー印刷モードと単色印刷モードとを切り替えて実行可能で、かつ、印刷画像を被記録媒体へ印刷する印刷部を有する印刷システムに用いられ、印刷部を制御するための印刷制御用プログラムであって、コンピュータを、印刷画像と共に被記録媒体へ印刷されるウォーターマークが、単色印刷を実行することを表す属性のものであるか否かを判断するウォーターマーク判断手段、及びウォーターマーク判断手段によりウォーターマークが単色印刷を実行することを表す属性のものであると判断された場合に、印刷部に単色印刷モードで印刷画像の印刷を実行させるカラー制限手段として機能させることを特徴とする。
【００２３】
これにより、請求項１に記載の発明と同様に、単色印刷を実行することを表す属性のウォーターマークが付加される印刷画像については、単色印刷モードで印刷が行われるので、カラー印刷の必要性が低い印刷画像に対して、単色印刷を実行することを表す属性のウォーターマークを付加することにより、カラー印刷の制限を効果的に行うことができる。その結果、印刷に関わる全体的なコストを低下させることができる。
【００２４】
請求項１１に記載の発明では、ウォーターマーク判断手段は、ウォーターマークが、コピーを意味する文字列あるいは画像からなるウォーターマークである場合、又は、ドラフトを意味する文字列あるいは画像からなるウォーターマークである場合に、そのウォーターマークが単色印刷を実行することを表す属性のものであると判定することを特徴とする。
【００２５】
これにより、請求項３に記載の発明と同様に、コピーを意味する文字列あるいは画像か
らなるウォーターマーク又はドラフトを意味する文字列あるいは画像からなるウォーターマークが印刷画像に付加されていた場合に単色印刷モードで印刷が実行されるので、カラー印刷の制限を効果的に行うことができる。
【００２６】
請求項１２に記載の発明では、使用者による入力操作を受け付け、その入力操作によってウォーターマーク及びその属性を取得可能なウォーターマーク取得手段として機能させることを特徴とする。
【００２７】
これにより、請求項４に記載の発明と同様に、予め記録装置に記憶されているウォーターマークに限らず、使用者により入力されたウォーターマークに対しても、カラー制限を適用することができるので、カラー制限の機能を向上させることができる。
【００２８】
請求項１３に記載の発明では、使用者による入力操作を受け付け、その入力操作によって文字列からなるウォーターマークを受け付けた場合に、その文字列に基づいて、ウォーターマークの属性を検知する属性検知手段、及び属性検知手段により受け付けられたウォーターマークと属性検知手段により検知された属性とを取得するウォーターマーク取得手段として機能させることを特徴とする。
【００２９】
これにより、請求項５に記載の発明と同様に、ウォーターマークの文字列に基づいて、ウォーターマークの属性を検知するので、使用者はウォーターマークの属性を入力する手間を省くことができる。
【００３０】
請求項１４に記載の発明では、カラー印刷モードと単色印刷モードとを切り替えて実行可能で、かつ、印刷画像を被記録媒体へ印刷する印刷部を有する印刷システムに用いられ、印刷部を制御するための印刷制御用プログラムを記録したコンピュータ読み取り可能な記録媒体であって、コンピュータを、印刷画像と共に被記録媒体へ印刷されるウォーターマークが、単色印刷を実行することを表す属性のものであるか否かを判断するウォーターマーク判断手段、及びウォーターマーク判断手段によりウォーターマークが単色印刷を実行することを表す属性のものであると判断された場合に、印刷部に単色印刷モードで印刷画像の印刷を実行させるカラー制限手段として機能させる印刷制御用プログラムを記録したことを特徴とする。
【００３１】
これにより、請求項１に記載の発明と同様に、単色印刷を実行することを表す属性のウォーターマークが付加される印刷画像については、単色印刷モードで印刷が行われるので、カラー印刷の必要性が低い印刷画像に対して、単色印刷を実行することを表す属性のウォーターマークを付加することにより、カラー印刷の制限を効果的に行うことができる。その結果、印刷に関わる全体的なコストを低下させることができる。
【００３２】
請求項１５に記載の発明では、ウォーターマーク判断手段は、ウォーターマークが、コピーを意味する文字列あるいは画像からなるウォーターマークである場合、又は、ドラフトを意味する文字列あるいは画像からなるウォーターマークである場合に、そのウォーターマークが単色印刷を実行することを表す属性のものであると判定することを特徴とする。
【００３３】
これにより、請求項３に記載の発明と同様に、コピーを意味する文字列あるいは画像からなるウォーターマーク又はドラフトを意味する文字列あるいは画像からなるウォーターマークが印刷画像に付加されていた場合に単色印刷モードで印刷が実行されるので、カラー印刷の制限を効果的に行うことができる。
【００３４】
請求項１６に記載の発明では、使用者による入力操作を受け付け、その入力操作によっ
てウォーターマーク及びその属性を取得可能なウォーターマーク取得手段として機能させる印刷制御用プログラムを記録したことを特徴とする。
【００３５】
これにより、請求項４に記載の発明と同様に、予め記録装置に記憶されているウォーターマークに限らず、使用者により入力されたウォーターマークに対しても、カラー制限を適用することができるので、カラー制限の機能を向上させることができる。
【００３６】
請求項１７に記載の発明では、使用者による入力操作を受け付け、その入力操作によって文字列からなるウォーターマークを受け付けた場合に、その文字列に基づいて、ウォーターマークの属性を検知する属性検知手段、及び属性検知手段により受け付けられたウォーターマークと属性検知手段により検知された属性とを取得するウォーターマーク取得手段として機能させる印刷制御用プログラムを記録したことを特徴とする。
【００３７】
これにより、請求項５に記載の発明と同様に、ウォーターマークの文字列に基づいて、ウォーターマークの属性を検知するので、使用者はウォーターマークの属性を入力する手間を省くことができる。
【発明を実施するための最良の形態】
【００３８】
以下に本発明の実施形態を図面と共に説明する。
本実施形態では、本発明に係る印刷制御用プログラムを、プリンタに接続されたコンピュータに組み込む（インストールする）ことにより、コンピュータ及びプリンタを印刷システムとして機能させた場合を例として説明する。そして、この印刷システムは、複数の使用者により共有されている。
【００３９】
（第１実施形態）
１．印刷システムの概要
図１は、本実施形態に係る印刷システムの概要を示す図であり、この印刷システムは、コンピュータ１０及びプリンタ２０等を有して構成されている。なお、以下の説明では、コンピュータ１０をＰＣ１０という。
【００４０】
ＰＣ１０は、図１に示すように、画像及び文字を表示するＬＣＤ（液晶表示パネル）やＣＲＴ（ブラウン管）等にて構成された表示装置１１、表示装置１１の特定部位を指し示すポインタ（図示省略）を移動させるポインティング手段をなすマウス（図示省略）及びキーボード（図示省略）等にて構成された操作部１２、ＣＰＵ（中央演算装置）１３、ＲＯＭ（読み込み専用記憶装置）１４、ＲＡＭ（随時読み書き可能な記憶装置）１５、ＨＤＤ（磁気記憶装置）１６、並びにプリンタ２０が接続されるプリンタポートＩ／Ｆ（Ｉｎｔｅｒｆａｃｅ）１７等を有して構成されている。
【００４１】
また、ＰＣ１０は、使用者がこのＰＣ１０にログインする際に入力されるログイン名及びパスワードに基づいて、プリンタ２０を使用する使用者が特定の使用者（以下、管理者という。）であるか否かを判断する。
【００４２】
本実施形態に係るプリンタ２０は、カラー印刷モードとモノクロ印刷モードとを切り替えて実行することが可能なものであり、このプリンタ２０は、図１に示すように、プリンタ２０が備える機能を選択等するための操作キー２１、操作内容や作業状況を表示する表示パネル２２、記録用紙等の被記録媒体に文字や画像等を印刷する印刷部２３、ＣＰＵ２４、ＲＯＭ２５、ＲＡＭ２６、ＨＤＤ２７、電力の供給が停止した場合であっても記憶された内容を保持することが可能な不揮発性ＲＡＭ２８、並びにプリンタ２０をＰＣ１０に直接接続するためのプリンタポートインターフェース２９等を有して構成されたプリンタ
である。
【００４３】
なお、印刷部２３は、例えば、シアン、マゼンダ、イエロー、ブラックの４色のトナーを被記録媒体に塗布、定着するものである。カラー印刷モードにおいては、これら４色のトナーを多層に重ねて塗布することにより、印刷する画像データに応じた色を出すことができる。一方、モノクロ印刷モードにおいては、ブラックのトナーを単層で塗布、定着する。また、印刷部２３は、トナーに限らずインクを用いて印刷を行うものであってもよい。
【００４４】
２．カラー制限印刷機能
本実施形態のＰＣ１０には、モノクロ印刷を実行することを表す属性（以下、カラー制限属性という。）を有するウォーターマークが、印刷画像に付加されている場合に、その印刷画像については、仮にカラーのデータからなる印刷画像であってもモノクロ印刷モードで印刷する、といったカラー制限印刷機能が設けられている。
【００４５】
つまり、カラー制限印刷機能とは、印刷モードにかかわらず、カラー制限属性を有するウォーターマークが付加されている入力画像（印刷画像）については、原則、プリンタ２０に対してモノクロ印刷モードで印刷を実行させる機能のことである。
【００４６】
また、本実施形態では、管理者のみが、カラー制限印刷機能の内容を設定変更することができる。具体的には、カラー制限印刷機能の実行の有無、及びカラー制限属性の設定等を設定変更することができる。換言すると、本実施形態では、管理者を除く使用者はカラー制限印刷機能の内容を設定変更することができない。
【００４７】
そして、カラー制限印刷機能の内容は、後述する印刷設定ウインドウ３０（図３参照）のカラー制限印刷設定ボタン４２（図３参照）が選択（クリック）された場合に表示装置１１に表示されるカラー制限設定ダイアログ７０（図４参照）にて設定変更を行うことができる。
【００４８】
３．ウォーターマーク
本実施形態のウォーターマークは、印刷画像と重ねて透過印刷される「透かし」としてのウォーターマークであり、ウォーターマークは、ＰＣ１０のＨＤＤ１６に複数種類（本実施形態では４種類）標準で記憶されている。
【００４９】
具体的には、図２に示すように、「ＣＯＮＦＩＤＥＮＴＩＡＬ」の文字列からなるウォーターマーク、「ＣＯＰＹ」の文字列からなるウォーターマーク、「ＤＲＡＦＴ」の文字列からなるウォーターマーク、及び「社外秘」の文字列からなるウォーターマークの４種類のウォーターマークがＨＤＤ１６に記憶されている。
【００５０】
また、これら４種類のウォーターマークは、図２に示すように、ＩＤ（識別番号）、タイトル名、保存形式、記録用紙への表示位置、傾斜角度、フォント及びグループ情報等と対応付けられてＨＤＤ１６に記憶されている。
【００５１】
ここで、グループ情報とは、ウォーターマークをグループ分けするための識別子のことであり、このグループ情報には、コピー（複写）を意味するウォーターマークが属する「コピー」、及びドラフト（下書き）を意味するウォーターマークが属する「ドラフト」等がある。なお、上記４種類のウォーターマークは、メーカ側で予め用意されたウォーターマークであることを表すグループ「ＢｕｉｌｔＩｎ」に属している。
【００５２】
４．印刷設定ウインドウ３０の説明
本実施形態では、使用者が操作部１２を操作することにより、印刷画像の印刷設定を行うための印刷設定指令が入力された場合に、後述するプログラムに基づいて、図３に示す印刷設定ウインドウ３０が表示装置１１に表示される。
【００５３】
この印刷設定ウインドウ３０は、図３に示すように、記録用紙のサイズ（寸法）やコピー部数やカラー制限印刷機能の設定等の印刷に関する基本項目を設定するための基本設定ウインドウ４０（図３（ａ）参照）、印刷画像の解像度やウォーターマーク等を設定するための拡張機能設定ウインドウ５０（図３（ｂ）参照）、サポート用のウインドウ（図示省略）、ＯＫボタン６０及びキャンセルボタン６２等にて構成されている。
【００５４】
そして、本実施形態では、印刷設定ウインドウ３０のＯＫボタン６０が選択（クリック）された場合に、基本設定ウインドウ４０及び拡張機能設定ウインドウ５０、すなわち印刷設定ウインドウ３０にて設定された内容で、印刷画像の印刷が実行される。
【００５５】
なお、印刷設定ウインドウ３０は、使用者が操作部１２を操作することによって、表示画面が、基本設定ウインドウ４０、拡張機能設定ウインドウ５０、及びサポート用のウインドウのうち何れかに選択的に切り替わるようになっている。
【００５６】
基本設定ウインドウ４０には、カラー制限印刷機能の内容を設定変更するためのカラー制限設定ボタン４２が設けられており、カラー制限設定ボタン４２が選択（クリック）されると、図４に示すカラー制限設定ダイアログ７０が表示される。
【００５７】
カラー制限設定ダイアログ７０は、図４に示すように、カラー制限印刷機能の実行の有無、及びカラー制限属性の設定等のカラー制限印刷機能の内容を管理者が設定するためのものである。なお、管理者を除く使用者についてはカラー制限設定ダイアログ７０の閲覧のみが許可される。
【００５８】
また、カラー制限設定ダイアログ７０では、ウォーターマークの有無にかかわらず全ての印刷画像に対してモノクロ印刷を実行する場合と、カラー制限属性を有するウォーターマークが付加された印刷画像に対してモノクロ印刷を実行する場合とのうち、何れかに設定（選択）することができるようにされている。
【００５９】
そして、カラー制限属性を有するウォーターマークが付加された印刷画像に対してモノクロ印刷を実行する場合には、図２に示される記憶内容に基づいて、グループ情報が「コピー」である（「ＣＯＰＹ」の文字列からなる）ウォーターマーク、あるいはグループ情報が「ドラフト」である（「ＤＲＡＦＴ」の文字列からなる）ウォーターマークが、カラー制限属性を有するウォーターマークとして設定可能に構成される。
【００６０】
具体的に、カラー制限ダイアログ７０では、管理者を除く使用者に対してカラー制限印刷機能を適用する場合と、管理者を含む全ての使用者に対してカラー制限印刷機能を適用する場合とのうち、何れか一方が選択されるようになっている。
【００６１】
以上のようなカラー制限設定ダイアログ７０について具体的に説明すると、このカラー制限設定ダイアログ７０は、『カラー制限モード』７１、『常に白黒』７２、『「ＣＯＰＹ」付加時は白黒』７３、『「Ｄｒａｆｔ」付加時は白黒』７４、『管理者にも適用』７５、ＯＫボタン７６及びＣａｎｃｅｌボタン７７の７つの入力オブジェクト（選択肢）を有して構成されている。
【００６２】
カラー制限設定ダイアログ７０の入力オブジェクト７１〜７６のうち、『カラー制限モード』７１は、カラー制限印刷機能の実行の有無を設定するためのものであり、この『カ
ラー制限モード』７１の左側に設けられているチェック項目７１Ａが選択（クリック）される度に、このチェック項目７１Ａに符号（レ点）が反転表示される。
【００６３】
そして、『カラー制限モード』７１のチェック項目７１Ａに符号が表示されている状態では、カラー制限印刷機能が実行される。
『常に白黒』７２、『「ＣＯＰＹ」付加時は白黒』７３、及び『「Ｄｒａｆｔ」付加時は白黒』７４は、カラー制限属性を選択するためのものである。『常に白黒』７２の左側に設けられているチェック項目７２Ａは、『カラー制限モード』７１のチェック項目７１Ａに符号が表示されている場合に選択可能にされている。
【００６４】
そして、『常に白黒』７２のチェック項目７２Ａがクリックされる度に、このチェック項目７２Ａに符号（丸印）が反転表示され、『常に白黒』７２のチェック項目７２Ｂに符号が表示されている状態では、全ての印刷画像がモノクロ印刷モードで印刷される。
【００６５】
『「ＣＯＰＹ」付加時は白黒』７３の左側に設けられているチェック項目７３Ａは、『カラー制限モード』７１のチェック項目７１Ａに符号が表示され、かつ、『常に白黒』７２のチェック項目７２Ａに符号が表示されていない場合に選択可能にされている。
【００６６】
そして、『「ＣＯＰＹ」付加時は白黒』７３のチェック項目７３Ａがクリックされる度に、このチェック項目７３Ａに符号（丸印）が反転表示され、『「ＣＯＰＹ」付加時は白黒』７３のチェック項目７３Ａに符号が表示されている状態では、「ＣＯＰＹ」の文字列からなるウォーターマークが付与された印刷画像がモノクロ印刷モードで印刷される。
【００６７】
『「Ｄｒａｆｔ」付加時は白黒』７４は、の左側に設けられているチェック項目７４Ａは、『カラー制限モード』７１のチェック項目７１Ａに符号が表示され、かつ、『常に白黒』７２のチェック項目７２Ａに符号が表示されていない場合に選択可能にされている。
【００６８】
そして、『「Ｄｒａｆｔ」付加時は白黒』７４のチェック項目７４Ａがクリックされる度に、チェック項目７４Ａに符号（丸印）が反転表示され、『「Ｄｒａｆｔ」付加時は白黒』７４のチェック項目７４Ａに符号が表示されている状態では、「ＤＲＡＦＴ」の文字列からなるウォーターマークが付与された印刷画像がモノクロ印刷モードで印刷される。
【００６９】
つまり、本実施形態では、『「ＣＯＰＹ」付加時は白黒』７３のチェック項目７３Ａ、又は、『「Ｄｒａｆｔ」付加時は白黒』７４のチェック項目７４Ａに符号が表示されている場合に、その符号が表示されているチェック項目に対応するグループ情報のウォーターマークが、初めてカラー制限属性を有するウォーターマークとなる。
【００７０】
『管理者にも適用』７５は、管理者を含めた全ての使用者に対してカラー制限印刷機能を適用するためのものであり、『管理者にも適用』７５の左側に設けられているチェック項目７５Ａが選択（クリック）される度に、このチェック項目７５Ａに符号（レ点）が反転表示される。
【００７１】
そして、『管理者にも適用』７５のチェック項目７５Ａに符号が表示されている状態では、管理者を含めた全ての使用者に対してカラー制限印刷機能が適用され、逆にこのチェック項目７５Ａに符号が表示されていない状態では、管理者を除く使用者に対してカラー制限印刷機能が適用される。
【００７２】
そして、入力ダイアログ７１〜７５のチェック項目７１Ａ〜７５Ａの表示内容（符号の有無）は、カラー制限設定ダイアログ７０のＯＫボタン７６が選択（クリック）されたと
きにＨＤＤ１６に記憶され、この記憶内容は、次回カラー制限設定ダイアログ７０が表示されるときに反映される。
【００７３】
因みに、管理者を除く使用者がカラー制限設定ダイアログ７０を表示した場合には、この使用者がカラー制限印刷機能を設定できないように、ＯＫボタン７６及びＣａｎｃｅｌボタン７７を除く入力オブジェクト７１〜７５が選択不能（無効）にされている。なお、本実施形態では、入力オブジェクトをグレーアウト表示することにより、そのグレーアウト表示された入力オブジェクトを使用者が選択できないようにしている。
【００７４】
５．印刷制御用プログラムの特徴的作動
５．１．カラー制限印刷機能設定処理
次に、本実施形態に係るＰＣ１０において、使用者がカラー制限印刷機能の設定を行うためのプログラム（カラー制限印刷機能設定処理）の作動を説明する。なお、図５は、カラー制限印刷機能設定処理を示すフローチャートである。
【００７５】
図５に示すカラー制限印刷機能設定処理は、ＰＣ１０が管理者に使用されている状態で、カラー制限設定ボタン４２（図３（ａ）参照）が選択（クリック）されたときに実行する処理であり、このカラー制限印刷機能設定処理が開始されると、まずカラー制限設定ダイアログ７０（図４参照）が表示される（Ｓ１１０）。
【００７６】
そして、カラー制限設定ダイアログ７０が表示されると（Ｓ１１０）、この設定ダイアログ７０の入力オブジェクト７１〜７７のうち何れかが選択されるまでの間、Ｓ１２０〜Ｓ１８０の処理が繰り返し実行される。
【００７７】
具体的に説明すると、Ｓ１２０の処理では、『カラー制限モード』７１のチェック項目７１Ａがクリックされたか否かが判定され、Ｓ１３０の処理では、『常に白黒』７２のチェック項目７２Ａがクリックされたか否かが判定され、Ｓ１４０の処理では、『「ＣＯＰＹ」付加時は白黒』７３のチェック項目７３Ａがクリックされたか否かが判定される。
【００７８】
また、Ｓ１５０の処理では、『「Ｄｒａｆｔ」付加時は白黒』７４のチェック項目７４Ａがクリックされたか否かが判定され、Ｓ１６０の処理では、『管理者にも適用』７５のチェック項目７５Ａがクリックされたか否か判定され、Ｓ１７０の処理では、ＯＫボタン７６がクリックされたか否かが判定され、Ｓ１８０の処理では、Ｃａｎｃｅｌボタン７７がクリックされたか否かが判定される。
【００７９】
そして、『カラー制限モード』７１のチェック項目７１Ａがクリックされたと判定された場合には（Ｓ１２０：ＹＥＳ）、『カラー制限モード』７１のチェック項目７１Ａの符号が反転表示されるとともに、カラー制限印刷機能を実行することを表すカラー制限実行フラグが反転される（Ｓ１９０）。
【００８０】
すなわち、Ｓ１９０では、『カラー制限モード』７１のチェック項目７１Ａに符号が表示されていた場合に、この符号の表示が中止されるとともにカラー制限実行フラグがリセットされ、逆に『カラー制限モード』７１のチェック項目７１Ａに符号が表示されていなかった場合には、このチェック項目７１Ａに符号が表示されるとともにカラー制限実行フラグがセットされる。
【００８１】
そして、Ｓ１９０にて、『カラー制限モード』７１のチェック項目７１Ａの符号が反転表示されるとともにカラー制限実行フラグが反転されると、この反転によりカラー制限実行フラグがセットされたか否かが判定される（Ｓ２００）。
【００８２】
そして、カラー制限実行フラグがセットされたと判定された場合には（Ｓ２００：ＹＥＳ）、カラー制限設定ダイアログ７０の入力オブジェクト７１〜７７のうち何れかがクリックされるまで、Ｓ１２０〜Ｓ１８０の処理が繰り返し実行される。
【００８３】
一方、カラー制限実行フラグがセットされていないと判定された場合には（Ｓ２００：ＮＯ）、カラー制限設定ダイアログ７０の入力オブジェクト７１〜７７のうち、『カラー制限モード』７１、ＯＫボタン７６、Ｃａｎｃｅｌボタン７７以外の入力オブジェクトがグレーアウト表示（無効化）される（Ｓ２１０）。
【００８４】
そして、Ｓ２１０にて、『カラー制限モード』７１、ＯＫボタン７６、Ｃａｎｃｅｌボタン７７以外の入力オブジェクトが無効化されると、そのＳ２１０においてグレーアウト表示にされた入力オブジェクト以外の入力オブジェクトのクリックを検出するために、Ｓ１２０〜Ｓ１８０の処理が繰り返し実行される。
【００８５】
また、『カラー制限モード』７１のチェック項目７１Ａがクリックされていないと判定された場合には（Ｓ１２０：ＮＯ）、『常に白黒』７２のチェック項目７２Ａがクリックされたか否かが判定される（Ｓ１３０）。そして、『常に白黒』７２のチェック項目７２Ａがクリックされたと判定された場合には（Ｓ１３０：ＹＥＳ）、『常に白黒』７２のチェック項目７２Ａの符号が反転表示されるとともに、全ての印刷画像に対してモノクロ印刷を行うことを表す全白黒フラグが反転される（Ｓ２２０）。
【００８６】
すなわち、Ｓ２２０では、『常に白黒』７２のチェック項目７２Ａに符号が表示されていた場合に、この符号の表示が中止されるとともに全白黒フラグがリセットされ、逆に『常に白黒』７２のチェック項目７２Ａに符号が表示されていなかった場合には、このチェック項目７２Ａに符号が表示されるとともに全白黒フラグがセットされる。
【００８７】
そして、Ｓ２２０にて、『常に白黒』７２のチェック項目７２Ａの符号が反転表示されるとともに全白黒フラグが反転されると、この反転により全白黒フラグがセットされたか否かが判定される（Ｓ２３０）。
【００８８】
そして、全白黒フラグがセットされていないと判定された場合には（Ｓ２３０：ＮＯ）、カラー制限設定ダイアログ７０の入力オブジェクト７１〜７７のうち何れかがクリックされるまで、Ｓ１２０〜Ｓ１８０の処理が繰り返し実行される。
【００８９】
一方、全白黒フラグがセットされたと判定された場合には（Ｓ２３０：ＹＥＳ）、カラー制限設定ダイアログ７０の入力オブジェクト７１〜７７のうち、『「ＣＯＰＹ」付加時は白黒』７３及び『「Ｄｒａｆｔ」付加時は白黒』７４がグレーアウト表示（無効化）された後（Ｓ２４０）、そのＳ２４０においてグレーアウト表示にされた入力オブジェクト以外の入力オブジェクトのクリックを検出するために、Ｓ１２０〜Ｓ１８０の処理が繰り返し実行される。
【００９０】
また、『常に白黒』７２のチェック項目７２Ａがクリックされていないと判定された場合には（Ｓ１３０：ＮＯ）、『「ＣＯＰＹ」付加時は白黒』７３のチェック項目７３Ａがクリックされたと判定されたか否かが判定される（Ｓ１４０）。
【００９１】
そして、『「ＣＯＰＹ」付加時は白黒』７３のチェック項目７３Ａがクリックされたと判定された場合には（Ｓ１４０：ＹＥＳ）、『「ＣＯＰＹ」付加時は白黒』７３のチェック項目７３Ａの符号が反転表示されるとともに、グループ情報が「コピー」であるウォーターマークをカラー制限属性にすることを表すコピーフラグが反転される（Ｓ２５０）。
【００９２】
すなわち、Ｓ２５０では、『「ＣＯＰＹ」付加時は白黒』７３のチェック項目７３Ａに符号が表示されていた場合に、この符号の表示が中止されるとともにコピーフラグがリセットされ、逆に『「ＣＯＰＹ」付加時は白黒』７３のチェック項目７３Ａに符号が表示されていなかった場合には、このチェック項目７３Ａに符号が表示されるとともにコピーフラグがセットされる。したがって、印刷画像に付加されているウォーターマーク（コピー）がカラー制限属性を有するウォーターマークとして設定されているかを判断する場合には、このコピーフラグがセットされた状態であるかを参照すればよい。
【００９３】
そして、Ｓ２５０にて、『「ＣＯＰＹ」付加時は白黒』７３のチェック項目７３Ａの符号が反転表示されるとともにコピーフラグが反転されると、カラー制限設定ダイアログ７０の入力オブジェクト７１〜７７のうち何れかがクリックされるまで、Ｓ１２０〜Ｓ１８０の処理が繰り返し実行される。
【００９４】
また、『「ＣＯＰＹ」付加時は白黒』７３のチェック項目７３Ａがクリックされていないと判定された場合には（Ｓ１４０：ＮＯ）、『「Ｄｒａｆｔ」付加時は白黒』７４のチェック項目７４Ａがクリックされたか否かが判定される（Ｓ１５０）。
【００９５】
そして、『「Ｄｒａｆｔ」付加時は白黒』７４のチェック項目７４Ａがクリックされたと判定された場合には（Ｓ１５０：ＹＥＳ）、『「Ｄｒａｆｔ」付加時は白黒』７４のチェック項目７４Ａの符号が反転表示されるとともに、グループ情報が「ドラフト」であるウォーターマークをカラー制限属性にすることを表すドラフトフラグが反転される（Ｓ２６０）。
【００９６】
すなわち、Ｓ２６０では、『「Ｄｒａｆｔ」付加時は白黒』７４のチェック項目７４Ａに符号が表示されていた場合に、この符号の表示が中止されるとともにドラフトフラグがリセットされ、逆に『「Ｄｒａｆｔ」付加時は白黒』７４のチェック項目７４Ａに符号が表示されていなかった場合には、このチェック項目７４Ａに符号が表示されるとともにドラフトフラグがセットされる。したがって、印刷画像に付加されているウォーターマーク（ドラフト）がカラー制限属性を有するウォーターマークとして設定されているかを判断する場合には、このドラフトフラグがセットされた状態であるかを参照すればよい。
【００９７】
そして、Ｓ２６０にて、『「Ｄｒａｆｔ」付加時は白黒』７４のチェック項目７４Ａの符号が反転表示されるとともにドラフトフラグが反転されると、カラー制限設定ダイアログ７０の入力オブジェクト７１〜７７のうち何れかがクリックされるまで、Ｓ１２０〜Ｓ１８０の処理が繰り返し実行される。
【００９８】
また、『「Ｄｒａｆｔ」付加時は白黒』７４のチェック項目７４Ａがクリックされていないと判定された場合には（Ｓ１５０：ＮＯ）、『管理者にも適用』７５のチェック項目７５Ａがクリックされたか否かが判定される（Ｓ１６０）。
【００９９】
そして、『管理者にも適用』７５のチェック項目７５Ａがクリックされたと判定された場合には（Ｓ１６０：ＹＥＳ）、『管理者にも適用』７５のチェック項目７５Ａの符号が反転表示されるとともに、カラー制限印刷機能を管理者に対しても適用する、すなわち全ての使用者に対してカラー制限印刷機能を適用することを表す管理者フラグが反転される（Ｓ２７０）。
【０１００】
すなわち、Ｓ２７０では、『管理者にも適用』７５のチェック項目７５Ａに符号が表示されていた場合に、この符号の表示が中止されるとともに管理者フラグがリセットされ、逆に『管理者にも適用』７５のチェック項目７５Ａに符号が表示されていなかった場合には、このチェック項目７５Ａに符号が表示されるとともに管理者フラグがセットされる。
【０１０１】
そして、Ｓ２７０にて、『管理者にも適用』７５のチェック項目７５Ａの符号が反転表示されるとともに管理者フラグが反転されると、カラー制限設定ダイアログ７０の入力オブジェクト７１〜７７のうち何れかがクリックされるまで、Ｓ１２０〜Ｓ１８０の処理が繰り返し実行される。
【０１０２】
また、『管理者にも適用』７５のチェック項目７５Ａがクリックされていないと判定された場合には（Ｓ１６０：ＮＯ）、ＯＫボタン７６がクリックされたか否かが判定される（Ｓ１７０）。そして、ＯＫボタン７６がクリックされたと判定された場合には（Ｓ１７０：ＹＥＳ）、カラー制限印刷機能設定処理で変更された各種フラグの変更結果（各チェック項目７１Ａ〜７５Ａの表示内容）が最新の情報としてＨＤＤ１６に記憶（更新）され、カラー制限印刷機能設定処理が終了する。そして、画像情報の印刷時には、その最新情報としてＨＤＤ１６に記憶（更新）された内容に基づいて、後述する印刷処理（図６参照）が行われる。
【０１０３】
また、ＯＫボタン７６がクリックされていないと判定された場合には（Ｓ１７０：ＮＯ）、Ｃａｎｃｅｌボタン７７がクリックされたか否かが判定される（Ｓ１８０）。そして、Ｃａｎｃｅｌボタン７７がクリックされたと判定された場合には（Ｓ１８０：ＹＥＳ）、カラー制限印刷機能設定処理で変更された各種フラグの変更結果が消去（破棄）され、カラー制限印刷機能設定処理が終了する。
【０１０４】
すなわち、Ｃａｎｃｅｌボタン７７がクリックされることでカラー制限印刷機能設定処理が終了した場合には、カラー制限印刷機能設定処理で変更された各種フラグの変更結果ではなく、カラー制限印刷機能設定処理が起動する前にＨＤＤ１６に記憶されている各種フラグの状態（各チェック項目７１Ａ〜７５Ａの表示内容）が、後述する印刷処理（図６参照）に反映される。
【０１０５】
５．２．印刷処理
次に、本実施形態に係るＰＣ１０において、印刷設定ウインドウ３０のＯＫボタン６０（図３参照）が使用者により選択（クリック）されたときに実行されるプログラム（印刷処理）の作動を説明する。
【０１０６】
図６は、印刷処理を示すフローチャートであり、この印刷処理が開始されると、まずＨＤＤ１６に記憶されている各種フラグが読み込まれ、カラー制限実行フラグがセットされているか否かが判定される（Ｓ３１０）。
【０１０７】
そして、カラー制限実行フラグがセットされていないと判定された場合には（Ｓ３１０：ＮＯ）、使用者により設定された印刷モードで印刷画像の印刷が行われ（Ｓ３２０）、印刷処理が終了する。
【０１０８】
つまり、Ｓ３２０では、使用者がモノクロ印刷モードを設定していた場合には、モノクロで印刷画像が印刷され、使用者がカラー印刷モードを設定していた場合には、印刷画像がカラーで印刷される。
【０１０９】
一方、カラー制限実行フラグがセットされていると判定された場合には（Ｓ３１０：ＹＥＳ）、使用者がＰＣ１０にログインする際に入力したログイン名に基づいて、プリンタ２０の使用者が管理者であるか否かが判定される（Ｓ３３０）。
【０１１０】
そして、プリンタ２０の使用者が管理者であると判定された場合には（Ｓ３３０：ＹＥＳ）、管理者フラグがセットされているか否かが判定される（Ｓ３４０）。そして、管理
者フラグがセットされていないと判定された場合には（Ｓ３４０：ＮＯ）、処理がＳ３２０へ移行され、逆に管理者フラグがセットされていると判定された場合には（Ｓ３４０：ＹＥＳ）、全白黒フラグがセットされているか否かが判定される（Ｓ３５０）。
【０１１１】
一方、プリンタ２０の使用者が管理者ではないと判定された場合には（Ｓ３３０：ＮＯ）、処理がＳ３５０へ移行され、全白黒フラグがセットされていると判定された場合には（Ｓ３５０：ＹＥＳ）、モノクロ印刷モードで印刷画像の印刷が行われ（Ｓ３６０）、印刷処理が終了する。
【０１１２】
また、全白黒フラグがセットされていないと判定された場合には（Ｓ３５０：ＮＯ）、印刷画像にウォーターマークが付加されているか否かが判定される（Ｓ３７０）。
そして、印刷画像にウォーターマークが付加されていないと判定された場合には（Ｓ３７０：ＮＯ）、使用者により設定された印刷モードで印刷画像の印刷が行われ（Ｓ３２０）、印刷処理が終了する。
【０１１３】
一方、印刷画像にウォーターマークが付加されていると判定された場合には（Ｓ３７０：ＹＥＳ）、その付加されているウォーターマークのグループ情報が「ドラフト」であるか否かが判定される（Ｓ３８０）。
【０１１４】
そして、ウォーターマークのグループ情報が「ドラフト」であると判定された場合には（Ｓ３８０：ＹＥＳ）、ドラフトフラグがセットされているか否かに基づいて、印刷画像の印刷をモノクロ印刷モードで行うか否かが判定される（Ｓ３９０）。
【０１１５】
すなわち、Ｓ３９０では、ドラフトフラグがセットされていると判定された場合には（Ｓ３９０：ＹＥＳ）、印刷画像に付加されているウォーターマークのグループ情報が「ドラフト」の場合に、カラー制限を実行するように制御されるため、その印刷画像の印刷がモノクロ印刷モードで行われる（Ｓ３６０）。
【０１１６】
また、Ｓ３９０では、ドラフトフラグがセットされていないと判定された場合に（Ｓ３９０：ＮＯ）、使用者により設定された印刷モードで印刷画像の印刷が行われる（Ｓ３２０）。
【０１１７】
また、ウォーターマークのグループ情報が「ドラフト」ではないと判定された場合には（Ｓ３８０：ＮＯ）、印刷画像に付加されているウォーターマークのグループ情報が「コピー」であるか否かが判定される（Ｓ４００）。
【０１１８】
そして、ウォーターマークのグループ情報が「コピー」ではないと判定された場合にも（Ｓ４００：ＮＯ）、使用者により設定された印刷モードで印刷画像の印刷が行われ（Ｓ３２０）、印刷処理が終了する。
【０１１９】
一方、ウォーターマークのグループ情報が「コピー」であると判定された場合には（Ｓ４００：ＹＥＳ）、コピーフラグがセットされているか否かに基づいて、印刷画像の印刷をモノクロ印刷モードで行うか否かが判定される（Ｓ４１０）。
【０１２０】
すなわち、Ｓ４１０では、コピーフラグがセットされていると判定された場合に（Ｓ４１０：ＹＥＳ）、印刷画像に付加されているウォーターマークのグループ情報が「コピー」の場合に、カラー制限を実行するように制御されるため、その印刷画像の印刷がモノクロ印刷モードで行われる（Ｓ３６０）。
【０１２１】
また、Ｓ４１０では、コピーフラグがセットされていないと判定された場合に（Ｓ４１０：ＮＯ）、使用者により設定された印刷モードで印刷画像の印刷が行われる（Ｓ３２０）。
【０１２２】
６．本実施形態に係る印刷システムの特徴
本実施形態では、カラー制限属性を有するウォーターマーク、すなわち、カラー制限設定ダイアログ７０において、チェック項目７３Ａあるいはチェック項目７４Ａがクリックされることで、カラー制限を行うべきウォーターマークの種別が設定され、そこで設定されたウォーターマークが付加された印刷画像、又は、全ての印刷画像に対してカラー制限（モノクロ印刷）を実行する（Ｓ３６０）。
【０１２３】
このため、カラー制限属性を有するウォーターマークが付加される印刷画像については、モノクロ印刷モードで印刷が行われるので、カラー印刷の制限を効果的に行うことができる。その結果、印刷に関わる全体的なコストを低下させることができる。なお、カラー制限属性を有するウォーターマークであるか否かは、本実施形態では、フラグのセット状態を参照することで、容易に判断できる。
【０１２４】
また、本実施形態では、全ての印刷画像（Ｓ３５０：ＹＥＳ）、又は、「ＣＯＰＹ」の文字列からなるウォーターマークが付加された印刷画像（Ｓ４１０：ＹＥＳ）、又は、「ＤＲＡＦＴ」の文字列からなるウォーターマークが付加された印刷画像（Ｓ３９０：ＹＥＳ）に対して、モノクロ印刷を実行する（Ｓ３６０）。
【０１２５】
したがって、「コピー」や「ドラフト」のようにカラー印刷の必要性が低い印刷画像については、管理者によるカラー制限印刷機能の設定によりモノクロ印刷モードで印刷することができるので、カラー印刷の制限を効果的に行うことができる。
【０１２６】
また、本実施形態では、『「ＣＯＰＹ」付加時は白黒』７３のチェック項目７３Ａ（図４参照）や『「Ｄｒａｆｔ」付加時は白黒』７４のチェック項目７４Ａ（図４参照）を管理者がクリックすることにより、カラー制限の内容を適宜設定変更することができるので、管理者の希望に添ったカラー制限を行うことができる。
【０１２７】
また、本実施形態では、『カラー制限モード』７１のチェック項目７４（図４参照）に符号が表示されていなければ（Ｓ３１０：ＮＯ）、カラー制限が行われず、使用者により設定された印刷モードで印刷画像の印刷が行われるので（Ｓ３２０）、より管理者の希望に沿ったカラー制限が可能となる。
【０１２８】
また、本実施形態では、『管理者にも適用』７５のチェック項目７５Ａ（図４参照）に符号が表示されていなければ（Ｓ３４０：ＮＯ）、管理者に対してはカラー制限印刷機能が無効となり、使用者（管理者）により設定された印刷モードで印刷画像の印刷が行われるので（Ｓ３２０）、管理者にとって使い勝手のよいものとなる。
【０１２９】
７．発明特定事項と実施形態との対応関係
本実施形態では、ＰＣ１０が特許請求の範囲に記載された印刷制御部及び印刷制御装置に相当し、プリンタ２０が特許請求の範囲に記載された印刷装置に相当する。また、Ｓ３７０〜Ｓ４１０の処理が特許請求の範囲に記載されたウォーターマーク判断手段に相当し、Ｓ３６０の処理が特許請求の範囲に記載されたカラー制限手段に相当する。
【０１３０】
また、カラー制限設定ダイアログ７０が特許請求の範囲に記載された設定手段に相当し、Ｓ３１０の処理が、特許請求の範囲に記載された禁止手段に相当し、Ｓ３３０の処理が特定使用者判断手段に相当し、Ｓ３４０の処理が特許請求の範囲に記載された禁止設定手
段に相当する。
【０１３１】
（第２実施形態）
上記第１実施形態では、ＨＤＤ１６に予め記憶（登録）されているウォーターマークの中から、印刷画像に付加するウォーターマークを設定（選択）していたが、本実施形態は、印刷画像に付加するウォーターマークを使用者が新規に登録することができるようにしたものである。
【０１３２】
図７は、ウォーターマーク及びグループ情報等のウォーターマークに関する情報を設定するためのウインドウ（ウォーターマーク設定ダイアログ）を説明する説明図であり、ウォーターマーク設定処理を示すフローチャートである。
【０１３３】
ウォーターマーク設定ダイアログ８０は、上述した拡張機能設定ウインドウ５０に設けられたウォーターマーク設定用の設定ボタン（図示省略）が選択（クリック）されたときに、表示装置１１に表示される。
【０１３４】
そして、このウォーターマーク設定ダイアログ８０は、印刷画像の印刷時に使用するウォーターマークの文字列を入力するための文字列入力部８１、ウォーターマークのグループ情報を「コピー」や「ドラフト」等の複数の候補の中から選択するためのグループ情報選択部８２、及びＯＫボタン８３等の複数の入力オブジェクトにて構成されている。
【０１３５】
そして、本実施形態では、ウォーターマーク設定ダイアログ８０のＯＫボタン８３がクリックされると、図８に示すウォーターマーク設定処理が開始され、まず予めＨＤＤ１６に記憶されている内蔵のウォーターマークのうち「ＣＯＰＹ」の文字列からなるウォーターマークが選択されたか否かが判定される（Ｓ５１０）。また、文字列の他に、ビットマップデータ等の画像も指定可能である。
【０１３６】
そして、内蔵のウォーターマーク（「ＣＯＰＹ」）が選択されたと判定された場合には（Ｓ５１０：ＹＥＳ）、印刷画像に付加されるウォーターマークが「ＣＯＰＹ」の文字列からなるウォーターマークに設定され、ウォーターマーク設定処理が終了する。
【０１３７】
一方、内蔵のウォーターマーク（「ＣＯＰＹ」）が選択されていないと判定された場合には（Ｓ５１０：ＮＯ）、グループ情報選択部８２で「ＣＯＰＹ」が選択されたか否かが判定される（Ｓ５２０）。
【０１３８】
Ｓ５２０の処理では、グループ情報選択部８２で「ＣＯＰＹ」が選択されたと判定された場合に（Ｓ５２０：ＹＥＳ）、今回使用者により新規に設定された、すなわち文字列入力部８１に入力された文字列がウォーターマークを示す文字列として判断されると共に、そのグループ情報が「コピー」であると判断される。
【０１３９】
そして、図９に示すように、その判断結果（グループ情報）や今回使用者により設定されたウォーターマーク等のウォーターマーク設定ダイアログ８０にて設定された内容がそれぞれ対応付けられてＨＤＤ１６に記憶（登録）される。そして、印刷画像に付加されるウォーターマークが、今回使用者により新規に設定されたウォーターマークに設定され（Ｓ５３０）、ウォーターマーク設定処理が終了する。
【０１４０】
一方、グループ情報選択部８２で「ＣＯＰＹ」が選択されていないと判定された場合には（Ｓ５２０：ＮＯ）、予めＨＤＤ１６に記憶されている内蔵のウォーターマークのうち「ＤＲＡＦＴ」が選択されたか否かが判定される（Ｓ５４０）。
【０１４１】
そして、内蔵のウォーターマーク（「ＤＲＡＦＴ」）が選択されたと判定された場合には（Ｓ５４０：ＹＥＳ）、印刷画像に付加されるウォーターマークが「ＤＲＡＦＴ」の文字列からなるウォーターマークに設定され、ウォーターマーク設定処理が終了する。
【０１４２】
一方、ウォーターマーク（「ＤＲＡＦＴ」）が選択されていないと判定された場合には（Ｓ５４０：ＮＯ）、グループ情報選択部８２で「ＤＲＡＦＴ」が選択されたか否かが判定される（Ｓ５５０）。
【０１４３】
Ｓ５５０の処理では、グループ情報選択部８２で「ＤＲＡＦＴ」が選択されたと判定された場合に（Ｓ５５０：ＹＥＳ）、今回使用者により新規に設定された、すなわち文字列入力部８１に入力された文字列がウォーターマークを示す文字列として判断されると共に、そのグループ情報が「ドラフト」であると判断される。
【０１４４】
そして、図９に示すように、その判断結果（グループ情報）や今回使用者により設定されたウォーターマーク等のウォーターマーク設定ダイアログ８０にて設定された内容がそれぞれ対応付けられてＨＤＤ１６に記憶（登録）される。そして、印刷画像に付加されるウォーターマークが、今回使用者により新規に設定されたウォーターマークに設定され（Ｓ５６０）、ウォーターマーク設定処理が終了する。
【０１４５】
一方、グループ情報選択部８２で「ＤＲＡＦＴ」が選択されいていないと判定された場合には（Ｓ５５０：ＮＯ）、印刷画像に付加されるウォーターマークが使用者により設定されたウォーターマークに設定されて、ウォーターマーク設定処理が終了する。
【０１４６】
以上説明したように、本実施形態では、ウォーターマークを新規に登録することができるとともに、その登録したウォーターマークにグループ情報を付与するようにしている。このため、予めＨＤＤ１６に記憶されているウォーターマークに限らず、使用者により入力されたウォーターマークに対しても、カラー制限を適用することができるので、カラー制限の機能を向上させることができる。
【０１４７】
また、本実施形態では、使用者により新規に登録された入力されたウォーターマークを、その後も使用することが可能となるので、印刷システムの使い勝手が向上する。また、使用者により入力されたウォーターマークについてもグループ情報と対応付けられて登録されるので、ＰＣ１０は、ウォーターマークによる判断処理（図６に示すＳ３８０及びＳ４００の処理）を容易に行うことができる。
【０１４８】
なお、本実施形態では、Ｓ５３０及びＳ５６０の処理が特許請求の範囲に記載されたウォーターマーク取得手段及びウォーターマーク登録手段に相当する。
（第３実施形態）
上記第２実施形態では、使用者がウォーターマークのグループ情報を選択（入力）するようにしていたが、本実施形態では、使用者がウォーターマークの文字列を入力した場合に、その文字列に基づいてウォーターマークのグループ情報が検知（推定）されるようにしたものである。
【０１４９】
図１０は、ウォーターマーク設定ダイアログ８０（図７参照）の文字列入力部８１に文字列が入力されたときに実行される制御フローであり、この制御フローが開始されると、まず文字列入力部８１に入力された文字列と「ＣＯＰＹ」に関連する文字列とが比較される（Ｓ６１０）。
【０１５０】
なお、ここでいう『「ＣＯＰＹ」に関連する文字列』とは、「ＣＯＰＹ」、「Ｃｏｐｙ
」、「ｃｏｐｙ」、「複写」、「写し」及び「コピー」等の「コピー」を意味する文字列のことであり、予めプログラムにおいて複数種類用意されている。
【０１５１】
そして、Ｓ６１０の比較結果に基づいて、文字列入力部８１に入力された文字列に「ＣＯＰＹ」に関連する文字列が含まれているか否かが判定され（Ｓ６２０）、「ＣＯＰＹ」に関連する文字列が含まれていると判定された場合には（Ｓ６２０：ＹＥＳ）、文字列入力部８１に入力された文字列（ウォーターマーク）のグループ情報を「コピー」にしてもよいか否かを問い合わせるための確認用ダイアログ（図示省略）が表示装置１１に表示される（Ｓ６３０）。
【０１５２】
続いて、文字列入力部８１に入力された文字列のグループ情報を「コピー」にすることを表すグループ情報付加許可指令が、使用者により入力されたか否かが判定される（Ｓ６４０）。
【０１５３】
なお、本実施形態では、ＯＫボタン及びＣａｎｃｅｌボタンが確認用ダイアログに設けられており、ＯＫボタンが選択（クリック）された場合に、グループ情報付加許可指令が入力されたと判定し、Ｃａｎｃｅｌボタンが選択（クリック）された場合に、グループ情報付加許可指令が入力されていないと判定する。そして、このことは、後述するＳ６９０の処理についても同様である。
【０１５４】
そして、グループ情報付加許可指令が入力されたと判定された場合には（Ｓ６４０：ＹＥＳ）、文字列入力部８１に入力された文字列（ウォーターマーク）のグループ情報が「コピー」としてＨＤＤ１６に記憶され（Ｓ６５０）、文字列入力部８１に入力された文字列と「ＤＲＡＦＴ」に関連する文字列とが比較される（Ｓ６６０）。
【０１５５】
なお、ここでいう『「ＤＲＡＦＴ」に関連する文字列』とは、「ＤＲＡＦＴ」、「Ｄｒａｆｔ」、「ｄｒａｆｔ」、「ドラフト」、及び「下書き」等の「ＤＲＡＦＴ」を意味する文字列のことである。
【０１５６】
一方、グループ情報付加許可指令が入力されていないと判定された場合には（Ｓ６４０：ＮＯ）、文字列入力部８１に入力された文字列のグループ情報が記憶されずに、文字列入力部８１に入力された文字列と「ＤＲＡＦＴ」に関連する文字列とが比較される（Ｓ６６０）。
【０１５７】
また、「ＣＯＰＹ」に関連する文字列が含まれていないと判定された場合には（Ｓ６２０：ＮＯ）、文字列入力部８１に入力された文字列と「ＤＲＡＦＴ」に関連する文字列とが比較される（Ｓ６６０）。
【０１５８】
そして、Ｓ６６０の比較結果に基づいて、文字列入力部８１に入力された文字列に「ＤＲＡＦＴ」に関連する文字列が含まれているか否かが判定され（Ｓ６７０）、「ＤＲＡＦＴ」に関連する文字列が含まれていないと判定された場合には（Ｓ６７０：ＮＯ）、本制御フローが終了する。
【０１５９】
一方、「ＤＲＡＦＴ」に関連する文字列が含まれていると判定された場合には（Ｓ６７０：ＹＥＳ）、文字列入力部８１に入力された文字列（ウォーターマーク）のグループ情報を「ドラフト」にしてもよいか否かを問い合わせるための確認用ダイアログ（図示省略）が表示装置１１に表示される（Ｓ６８０）。
【０１６０】
そして、文字列入力部８１に入力された文字列のグループ情報を「ドラフト」にすることを表すグループ情報付加許可指令が、使用者により入力されたか否かが判定され（Ｓ６
９０）、グループ情報付加許可指令が入力されていないと判定された場合には（Ｓ６９０：ＮＯ）、本制御フローが終了する。
【０１６１】
一方、グループ情報付加許可指令が入力されたと判定された場合には（Ｓ６９０：ＹＥＳ）、文字列入力部８１に入力された文字列（ウォーターマーク）のグループ情報が「ドラフト」としてＨＤＤ１６に記憶され（Ｓ７００）、本制御フローが終了する。
【０１６２】
以上説明したように、本実施形態では、文字列入力部８１に入力されたウォーターマークの文字列に基づいて、ウォーターマークのグループ情報を検知するので、使用者はウォーターマークのグループ情報を入力する手間を省くことができる。
【０１６３】
なお、本実施形態では、Ｓ６１０、Ｓ６２０、Ｓ６６０及びＳ６７０の処理が属性検知手段に相当し、Ｓ６５０及びＳ７００の処理が特許請求の範囲に記載されたウォーターマーク取得手段及びウォーターマーク登録手段に相当する。
【０１６４】
（その他の実施形態）
上記実施形態では、印刷画像と重ねて透過印刷される「透かし」をウォーターマークとして説明したが、本発明はこれに限定されるものではなく、ウォーターマークとは、上述したように、ヘッダーやフッター等の単に印刷画像と共に記録用紙に印刷される付加画像も含む意味である。
【０１６５】
また、上記実施形態では、ＰＣ１０側でカラー制限印刷機能の設定を行うようにしていたが、本発明はこれに限定されるものではなく、プリンタ２０側でカラー制限印刷機能の設定を行うようにしてもよい。
【０１６６】
また、上記実施形態では、ＨＤＤ１６に記憶されたウォーターマークのグループ情報に基づいて、カラー制限属性を判定するようにしていたが、本発明はこれに限定されるものではなく、ウォーターマークの文字列に基づいてカラー制限属性を判定するようにしてもよい。
【０１６７】
また、上記実施形態では、管理者と他の使用者とに分けて、管理者においては、他の使用者に対してカラー印刷を許可しない場合であってもカラー印刷を可能とする権限を付加可能としている。この管理者は、ＯＳの管理者として登録された使用者である必要はない。例えば、プリンタドライバ内に使用者毎に上記権限を持つか否かを管理するデータベースを備え、そのデータに基づき特定の使用者に対して上記権限を与えるような構成であってもよい。
【０１６８】
また、プリンタとしては、インク滴を記録用紙等の被記録媒体に噴射することにより被記録媒体に画像を形成するインクジェットプリンタでもよいし、レーザービームで感光体上を走査して画像を形成するレーザープリンタでもよい。
【０１６９】
また、カラー制限印刷機能を行う際に印刷画像をカラーからモノクロに変換する処理としては、どのような方法をとってもよい。例えば、ＰＣ１０側で印刷画像をカラーからモノクロに変換し、プリンタ２０側で印刷画像とウォーターマークとを合成するようにしてもよいし、プリンタ２０側で印刷画像をカラーからモノクロに変換するようにしてもよいし、ＰＣ１０側で印刷画像をモノクロに変換するとともに、その変換した印刷画像とウォーターマークとを合成するようにしてもよい。
【０１７０】
また、本発明は、特許請求の範囲に記載された発明の趣旨に合致するものであればよく、上述の実施形態に限定されるものではない。
【図面の簡単な説明】
【０１７１】
【図１】本発明の実施形態に係る印刷システムの模式図である。
【図２】第１実施形態のＨＤＤに記憶されたウォーターマークの説明図である。
【図３】印刷設定ウインドウの説明図である。
【図４】カラー制限設定ダイアログの説明図である。
【図５】カラー制限印刷機能設定処理を示すフローチャートである。
【図６】印刷処理を示すフローチャートである。
【図７】ウォーターマーク設定ダイアログを説明する説明図である。
【図８】ウォーターマーク設定処理を示すフローチャートである。
【図９】第２実施形態のＨＤＤに記憶されたウォーターマークの説明図である。
【図１０】第３実施形態のウォーターマーク設定ダイアログの文字列入力部に文字列が入力されたときに実行される制御フローを示すフローチャートである。
【符号の説明】
【０１７２】
１０…コンピュータ、１１…表示装置、１２…操作部、１３…ＣＰＵ、１４…ＲＯＭ、１５…ＲＡＭ、１６…ＨＤＤ、１７…プリンタポートＩ／Ｆ、２０…プリンタ、２１…操作キー、２２…表示パネル、２３…印刷部、２４…ＣＰＵ、２５…ＲＯＭ、２６…ＲＡＭ、２７…ＨＤＤ、２８…不揮発性メモリ、２９…プリンタポートＩ／Ｆ、３０…印刷設定ウインドウ、４０…基本設定ウインドウ、４２…カラー制限設定ボタン、５０…拡張機能設定ウインドウ、６０…ＯＫボタン、７０…カラー制限設定ダイアログ、７１〜７７…入力ダイアログ、８０…ウォーターマーク設定ダイアログ、８１…文字列入力部、８２…グループ情報選択部、８３…ＯＫボタン。
【図１】
2008165481.tif 000003
【図２】
2008165481.tif 000004
【図５】
2008165481.tif 000005
【図６】
2008165481.tif 000006
【図８】
2008165481.tif 000007
【図９】
2008165481.tif 000008
【図１０】
2008165481.tif 000009
【図３】
2008165481.tif 000010
【図４】
2008165481.tif 000011
【図７】
2008165481.tif 000012